【手続補正書】
【提出日】平成20年3月21日(2008.3.21)
【手続補正１】
【補正対象書類名】明細書
【補正対象項目名】特許請求の範囲
【補正方法】変更
【補正の内容】
【特許請求の範囲】
【請求項１】
移動体無線送信機の位置決定において無線位置決定システム（ＷＬＳ）で使用する方法であって、
ａ）無線送信機が、基地局から正常の送信パラメータを受信し、
ｂ）無線送信機のユーザは、デジットのシーケンスをダイヤルして“送信”または“イエス”ボタンを押すことによって無線送信機における呼を開始し、
ｃ）無線送信機内のプロセッサは、ダイヤルされたデジットのシーケンスを、無線送信機内に記憶されている１以上のトリガーイベントと比較し、
ｄ）ダイヤルされたデジットのシーケンスがトリガーイベントと整合しない場合には、無線送信機は正常の送信パラメータを呼の形成に使用し、
ｅ）ダイヤルされたデジットのシーケンスがトリガーイベントと整合する場合には、無線送信機は修正された送信シーケンスを使用する
ステップを含む方法。
【請求項２】
修正された送信シーケンスは、無線送信機が、正常のパラメータにおいて設定しているパワーレベルを超えて予め定められた量だけその送信パワーを増加させて、最大パワー設定にまでするステップを含む請求項１記載の方法。
【請求項３】
修正された送信シーケンスは、無線送信機がその送信パワーを最大パワー設定まで増加させるステップを含む請求項１記載の方法。
【請求項４】
修正された送信シーケンスは、無線送信機が追加の予め定められた数のアクセスプローブを送信し、これを、無線送信機に対しアクセスプローブの受信の承認を基地局が行った後においても行うステップを含む請求項１記載の方法。
【請求項５】
修正された送信シーケンスは、無線送信機が送信メッセージ中に付加的なフィールドを含ませ、これを、基地局によって順方向チャンネルで放送された正常のパラメータにおいてそれらフィールドがリクエストされていない場合においても行うステップを含む請求項１記載の方法。
【請求項６】
付加的なフィールドは認証フィールドである請求項５記載の方法。
【請求項７】
付加的なフィールドはシリアル番号フィールドである請求項５記載の方法。
【請求項８】
付加的なフィールドは移動体補助チャンネル割当レポートフィールドである請求項５記載の方法。
【請求項９】
修正された送信シーケンスは、無線送信機が１以上の反復された登録メッセージを有する送信メッセージにしたがうステップを含む請求項１記載の方法。
【請求項１０】
１以上の反復された登録メッセージは、基地局により順方向チャンネルで放送された送信パラメータから決定された正常の長さのものが可能である請求項９記載の方法。
【請求項１１】
１以上の反復された登録メッセージは、付加的なフィールドを含むことによりより長い長さに変更可能である請求項９記載の方法。
【請求項１２】
修正された送信シーケンスは、無線送信機が、複数のチャンネルの第１のもので送信された送信メッセージであって、複数のチャンネルの別の第２のもので送信された１以上の反復された登録メッセージを有するものにしたがうステップを含む請求項１記載の方法。
【請求項１３】
１以上の反復された登録メッセージは、基地局により順方向チャンネルで放送された送信パラメータから決定された正常の長さのものが可能である請求項１２記載の方法。
【請求項１４】
１以上の反復された登録メッセージは、付加的なフィールドを含むことによりより長い長さに変更可能である請求項１２記載の方法。
【請求項１５】
付加的なフィールドは認証フィールドである請求項１１または１４記載の方法。
【請求項１６】
付加的なフィールドはシリアル番号フィールドである請求項１１または１４記載の方法。
【請求項１７】
付加的なフィールドは移動体補助チャンネル割当レポートフィールドである請求項１１または１４記載の方法。
【請求項１８】
付加的なフィールドは能力レポートフィールドである請求項１１または１４記載の方法。
【請求項１９】
複数のチャンネルの第２のものは無線送信機の可聴範囲内の第２の基地局により使用されるものであるように選択され、それに対して無線送信機は第２の基地局による順方向制御チャンネルの放送を受信することが可能である請求項１２載の方法。
【請求項２０】
複数のチャンネルの第２のものは、無線送信機が任意の基地局により順方向制御チャンネルアクチビティを検出できないものであるように選択される請求項１２記載の方法。
【請求項２１】
第２の基地局は、第１の基地局と同じ基地局、または第１の基地局の別のセクタ、または完全に別の基地局が可能である請求項１９記載の方法。
【請求項２２】
無線送信機は、１以上の登録メッセージを、無線通信システムからの承認を期待することなく送信する請求項２０記載の方法。
【請求項２３】
トリガーイベントは、無線送信機中に恒久的に記憶される請求項１記載の方法。
【請求項２４】
トリガーイベントは、ユーザにより無線送信機中にプログラムされる請求項１記載の方法。
【請求項２５】
トリガーイベントは、複数の無線送信機による受信のために無線通信システムによって放送される請求項１記載の方法。
【請求項２６】
修正された送信シーケンス中に行われる作用は、無線送信機中に恒久的に記憶させることができる請求項１記載の方法。
【請求項２７】
修正された送信シーケンス中に行われる作用は、ユーザにより無線送信機中にプログラムされる請求項１記載の方法。
【請求項２８】
修正された送信シーケンス中に行われる作用は、全ての無線送信機による受信のために無線通信システムによって放送される請求項１記載の方法。
【請求項２９】
トリガーイベントは、ダイヤルされたデジット“９−１−１”および、または“＊９−１−１”または“＃９−１−１”のような変形を含む請求項１記載の方法。
【請求項３０】
無線送信機はトリガーイベントが発生したとき暗号化を停止する請求項１記載の方法。
【請求項３１】
無線送信機は、修正された送信シーケンスの一部として送信された全てのメッセージに対して暗号化を停止する請求項１記載の方法。
【請求項３２】
無線通信システムで使用するための無線送信機であって、
ａ）基地局から正常の送信パラメータを受信し、
ｂ）無線送信機のユーザがデジットのシーケンスをダイヤルして“送信”または“イエス”ボタンを押すと呼を開始し、
ｃ）ダイヤルされたデジットのシーケンスを無線送信機内に記憶された１以上のトリガーイベントと比較し、
ｄ）ダイヤルされたデジットのシーケンスがトリガーイベントと整合しない場合には、正常の送信パラメータを呼の形成に使用し、
ｅ）ダイヤルされたデジットのシーケンスがトリガーイベントと整合した場合には、修正された送信シーケンスを使用する
よ機能を実行できる無線送信機。
【請求項３３】
無線送信機が、正常のパラメータにおいて設定しているパワーレベルを超えて予め定められた量だけその送信パワーを増加させて、最大パワー設定にまですることを含む請求項３２記載の無線送信機。
【請求項３４】
修正された送信シーケンスは、無線送信機がその送信パワーを最大パワー設定まで増加させることを含む請求項３２記載の無線送信機。
【請求項３５】
修正された送信シーケンスは、無線送信機が追加の予め定められた数のアクセスプローブを送信し、これを、無線送信機に対しアクセスプローブの受信の承認を基地局が行った後においても行うことを含む請求項３２記載の無線送信機。
【請求項３６】
修正された送信シーケンスは、無線送信機が送信メッセージ中に付加的なフィールドを含ませ、これを、基地局によって順方向チャンネルで放送された正常のパラメータにおいてそれらフィールドがリクエストされていない場合においても行うことを含む請求項３２記載の無線送信機。
【請求項３７】
付加的なフィールドは認証フィールドである請求項３６記載の無線送信機。
【請求項３８】
付加的なフィールドはシリアル番号フィールドである請求項３６記載の無線送信機。
【請求項３９】
付加的なフィールドは移動体補助チャンネル割当レポートフィールドである請求項３６記載の無線送信機。
【請求項４０】
１以上の反復された登録メッセージは、基地局により順方向チャンネルで放送された送信パラメータから決定された正常の長さのものが可能である請求項３６記載の無線送信機。
【請求項４１】
修正された送信シーケンスは、無線送信機が１以上の反復された登録メッセージを有する送信されたメッセージにしたがうことを含む請求項３２記載の無線送信機。
【請求項４２】
１以上の反復された登録メッセージは、付加的なフィールドを含むことによってより長い長さに変更可能である請求項４１記載の無線送信機。
【請求項４３】
修正された送信シーケンスは、無線送信機が複数のチャンネルの第１のもので送信された送信メッセージであって、複数のチャンネルの別の第２のもので送信された１以上の反復された登録メッセージを有するものにしたがうことを含む請求項３２記載の無線送信機。
【請求項４４】
１以上の反復された登録メッセージは、基地局により順方向チャンネルで放送された送信パラメータから決定された正常の長さのものが可能である請求項４３記載の無線送信機。
【請求項４５】
１以上の反復された登録メッセージは、付加的なフィールドを含むことによってより長い長さに変更可能である請求項４３記載の無線送信機。
【請求項４６】
付加的なフィールドは認証フィールドである請求項４２または４５記載の無線送信機。
【請求項４７】
付加的なフィールドはシリアル番号フィールドである請求項４２または４５記載の無線送信機。
【請求項４８】
付加的なフィールドは移動体補助チャンネル割当レポートフィールドである請求項４２または４５記載の無線送信機。
【請求項４９】
付加的なフィールドは能力レポートフィールドである請求項４２または４５記載の無線送信機。
【請求項５０】
複数のチャンネルの第２のものは無線送信機の可聴範囲内の第２の基地局により使用されるものであるように選択され、それに対して無線送信機は第２の基地局による順方向制御チャンネルの放送を受信することが可能である請求項４３記載の無線送信機。
【請求項５１】
複数のチャンネルの第２のものは、無線送信機が任意の基地局により順方向制御チャンネルアクチビティを検出できないものであるように選択される請求項４３記載の無線送信機。
【請求項５２】
第２の基地局は、第１の基地局と同じ基地局、または第１の基地局の別のセクタ、または完全に別の基地局が可能である請求項５０記載の無線送信機。
【請求項５３】
無線送信機は、１以上の登録メッセージを、無線通信システムからの承認を期待することなく送信する請求項５１記載の無線送信機。
【請求項５４】
トリガーイベントは、無線送信機中に恒久的に記憶されている請求項３２記載の無線送信機。
【請求項５５】
トリガーイベントは、ユーザにより無線送信機中にプログラムされる請求項３２記載の無線送信機。
【請求項５６】
トリガーイベントは、複数の無線送信機による受信のために無線通信システムによって放送される請求項３２記載の無線送信機。
【請求項５７】
修正された送信シーケンス中に行われる作用は、無線送信機中に恒久的に記憶させることができる請求項３２記載の無線送信機。
【請求項５８】
修正された送信シーケンス中に行われる作用は、無線送信機中にユーザによりプログラムされる請求項３２記載の無線送信機。
【請求項５９】
修正された送信シーケンス中に行われる作用は、全ての無線送信機による受信のために無線通信システムによって放送される請求項３２記載の無線送信機。
【請求項６０】
トリガーイベントは、ダイヤルされたデジット“９−１−１”および、または“＊９−１−１”または“＃９−１−１”のような変形を含む請求項３２記載の無線送信機。